(57)【要約】【課題】色再現性を向上させながら、低消費電力化を図ることが可能な電気光学装置及び電子機器を提供する。【解決手段】４色以上の着色領域を有するカラーフィルタに対応した画素を有し、前記データ線に供給される画像信号に基づいて表示を行う電気光学装置において、全画面表示モード時には、入力されるＲＧＢの３色の画像信号を、画像処理回路により４色以上の色情報を有する画像信号に変換して表示する。一方、部分表示モード時には、画像処理回路を停止し、入力されるＲＧＢの３色の画像信号を用いて表示画面の一部に画像を表示する。【選択図】図２
2008032779.tif 000002
【特許請求の範囲】
【請求項１】
複数のデータ線と複数の走査線との交差に対応して設けられた画素であって少なくとも４色以上の着色領域を有するカラーフィルタに対応した画素を有し、前記データ線に供給される画像信号に基づいて表示を行う表示パネルと、
前記カラーフィルタの前記着色領域の色よりも少ない色の情報を有する第１の色画像信号が入力され、該第１の色画像信号を前記カラーフィルタに対応した第２の色画像信号に変換して出力する画像処理回路と、
全ての前記画素を駆動して表示を行う全画面表示モード時において、前記第２の色画像信号を前記データ線に供給し、
一部の前記画素からなる表示領域のみにおいて表示を行う部分表示モード時において、前記画像処理回路の駆動を停止させて前記第１の色画像信号を前記データ線に供給することで前記表示領域内の前記画素を駆動する駆動回路と、
を具備したことを特徴とする電気光学装置。
【請求項２】
前記表示パネルは、前記データ線に接続された画素電極と、対向電極との間に電気光学物質を介在させて構成されるものであって、
前記駆動回路は、前記部分表示モード時において、前記表示領域以外の前記画素の選択期間において、前記データ線と前記対向電極とを短絡させることを特徴とする請求項１に記載の電気光学装置。
【請求項３】
前記第１の色画像信号は、赤系、緑系及び青系の３色画像信号であり、
前記第２の色画像信号は、少なくとも４色以上の多色画像信号であることを特徴とする請求項１に記載の電気光学装置。
【請求項４】
上記請求項１乃至３のいずれか１項に記載の電気光学装置によって表示部を構成したことを特徴とする電子機器。
【発明の詳細な説明】
【技術分野】
【０００１】
本発明は、少なくとも４色以上の着色領域を有するカラーフィルタに対応した画素を有する電気光学装置及び電子機器に関する。
【背景技術】
【０００２】
近年、液晶装置等の電気光学装置である表示装置を備えた電子機器においては、動画像の表示機能の追加や、表示情報量の増加等に伴い、表示装置の高精細化が求められている。また一方で、メディアプレイヤーや携帯電話機等の携帯型の電子機器においては、表示装置の低消費電力化が求められている。
【０００３】
表示装置の高精細化及び低消費電力化という相反する目的を達成する手段として、例えば、携帯電話機の使用時以外の待受けの状態では、表示装置の表示領域の一部分にのみ画像を表示する、いわゆるパーシャル表示（パーシャル駆動）を行う駆動方法が知られている。このような、パーシャル表示を用いた表示装置は、例えば特開２００３−２４８４６８号公報に開示されている。
【特許文献１】特開２００３−２４８４６８号公報
【発明の開示】
【発明が解決しようとする課題】
【０００４】
ところで、従来、液晶装置等の各種の電気光学装置では、カラー表示を可能とするために、カラーフィルタが設けられている。従来、色の３原色に対応したＲ（赤）、Ｇ（緑）、Ｂ（青）の３色のカラーフィルタが多用されていたものであるが、近年は、電気光学装置の色再現性を向上させることを目的として、多色（４色以上）のカラーフィルタが採用される傾向にある。
【０００５】
しかしながら、このような多色のカラーフィルタを採用して色再現性を向上させた電気光学装置において、低消費電力化を図る駆動方法については、上述した特開２００３−２４８４６８号公報においては何ら開示されていない。
【０００６】
そこで、本発明は、色再現性を向上させながら、低消費電力化を図ることが可能な電気光学装置及び電子機器を提供することを目的とする。
【課題を解決するための手段】
【０００７】
本実施形態の電気光学装置は、複数のデータ線と複数の走査線との交差に対応して設けられた画素であって少なくとも４色以上の着色領域を有するカラーフィルタに対応した画素を有し、前記データ線に供給される画像信号に基づいて表示を行う表示パネルと、前記カラーフィルタの前記着色領域の色よりも少ない色の情報を有する第１の色画像信号が入力され、該第１の色画像信号を前記カラーフィルタに対応した第２の色画像信号に変換して出力する画像処理回路と、全ての前記画素を駆動して表示を行う全画面表示モード時において、前記第２の色画像信号を前記データ線に供給し、一部の前記画素からなる表示領域のみにおいて表示を行う部分表示モード時において、前記画像処理回路の駆動を停止させて前記第１の色画像信号を前記データ線に供給することで前記表示領域内の前記画素を駆動する駆動回路と、を具備したことを特徴とする。
【０００８】
本発明のこのような構成によれば、全画面表示モード時においては、４色以上の着色領域を有するカラーフィルタを用いて、色再現性の高い画像を表示することができ、一方、部分表示モード時においては、表示領域の画素のみを駆動し、かつ画像処理回路の駆動を停止させることで、低消費電力化を実現することができる。
【０００９】
また、本発明は、前記表示パネルは、前記データ線に接続された画素電極と、対向電極との間に電気光学物質を介在させて構成されるものであって、前記駆動回路は、前記部分表示モード時において、前記表示領域以外の前記画素の選択期間において、前記データ線と前記対向電極とを短絡させることが好ましい。
【００１０】
このような構成によれば、非表示領域のデータ線を対向電極とを等電位とすることができ、より低消費電力化を図ることができる。
【００１１】
また、本発明は、前記第１の色画像信号は、赤系、緑系及び青系の３色画像信号であり、前記第２の色画像信号は、少なくとも４色以上の多色画像信号であることが好ましい。
【００１２】
このような構成によれば、色再現性に優れた表示を行うことが可能となる。
【００１３】
また、本発明の電子機器は、上記電気光学装置によって表示部を構成したことを特徴とする。
【００１４】
本発明のこのような構成によれば、色再現性の高い画像を表示しつつ、かつ消費電力を抑えることが可能となる。
【発明を実施するための最良の形態】
【００１５】
以下、本実施形態の電気光学装置を図面を参照して説明する。本実施形態の電気光学装置は、液晶パネルを有する液晶表示装置である。図１は電気光学装置の斜視図である。図２は電気光学装置の概略構成を示す説明図である。
【００１６】
図１（ａ）に示すように、本実施形態の電気光学装置１００は、ガラス、石英又は樹脂等で構成された一対の基板であるＴＦＴアレイ基板２と対向基板３との間に電気光学物質である液晶を挟持して構成される表示パネルを具備して構成される。電気光学装置１００は、外部装置から入力された画像信号に基づいて画像表示領域４にカラー画像を表示する。
【００１７】
なお、以下の説明では、便宜上、本実施形態の電気光学装置１００を、透過型のＴＦＴアクティブマトリクス駆動方式の液晶表示パネルとして説明する。また、電気光学装置１００は、縦（図中Ｘ方向）２４０画素、横（図中Ｙ方向）１８０画素の行列上に配列された画素で構成される画像表示領域４を有する、マトリクス型表示装置として説明するが、本発明はこれに限定されるものではない。
【００１８】
また、電気光学装置１００のＴＦＴアレイ基板２上には、フレキシブル配線基板（以下、ＦＰＣ（Flexible Printed Circuit）と称する）である外部接続ＦＰＣ５が接続されている。ＦＰＣ５の一端は電気光学装置１００の外部接続端子上に接続されており、他端は、電気光学装置２００を制御するための外部装置である図示しないＬＣＤコントローラ１１に接続される。
【００１９】
また、本実施形態の電気光学装置１００は、画像表示領域４の一部分のみに画像を表示する、いわゆるパーシャル表示を行うことができる。パーシャル表示とは、例えば図１（ｂ）に示すように、縦方向（Ｘ方向）の上端から８０行目から１２０行目の画素の領域のみを表示領域として画像を表示する表示方法である。このパーシャル表示では、その他の領域である非表示領域には、画像は表示されない。以下、この電気光学装置１００のパーシャル表示の状態を部分表示モードと称し、画像表示領域４全体に画像が表示される状態を全画面表示モードと称する。
【００２０】
図２に示すように、電気光学装置１００のＴＦＴアレイ基板の画像表示領域４内には、複数本の走査線３３と複数本のデータ線３４とが交差するように配線されており、走査線３３とデータ線３４との各交差部分に対応して画素電極３５がマトリクス状に形成されている。また、走査線３３とデータ線３４の各交差部分に対応して画素スイッチング素子である薄膜トランジスタ（Thin Film Transistor；以下ＴＦＴと称する）３６が形成されている。また、電気光学装置１００の対向基板の画像表示領域４内には、前記画素電極３５に対向して対向電極４０が形成されている。対向電極４０は、画像表示領域４内のすべての領域に形成されたいわゆるベタ電極である。
【００２１】
ＴＦＴ３６のソースにはデータ線３４が電気的に接続されており、ＴＦＴ３６のドレインに画素電極３５が電気的に接続されている。また、ＴＦＴ３６のゲートには走査線３３が電気的に接続されている。ＴＦＴ３６は走査線３３を介して供給される走査信号によってオン状態となり、これにより、データ線３４に供給される電圧信号である画像データが画素電極３５に供給される。また、対向電極４０には、所定の期間ごとに極性が反転する対向電極電位Ｖｃｏｍが供給される。このＴＦＴアレイ基板上に形成された画素電極３５と、対向電極４０との間の電圧が液晶に印加される。液晶は、印加された電圧に応じて配向を変化させ、これにより、液晶を透過する光が変調される。すなわち、電極電位Ｖｃｏｍを基準として、階調に応じた電位を画素電極３５に供給することで画像が表示される。
【００２２】
本実施形態の電気光学装置１００は、カラー表示が可能な液晶装置であって、画像表示領域４には、図示しないカラーフィルタが設けられている。これらのカラーフィルタは、各画素に対応して原色の着色が施された着色領域を有する。本実施形態においては、画像表示領域４に設けられているカラーフィルタは、各画素に対応した着色領域の色数が４色であり、４色の着色領域にそれぞれ対応した４つのサブ画素３７Ｒ、３７Ｇ、３７Ｂ、３７Ｃによって１つの画素３７が構成される。
【００２３】
例えば、電気光学装置１００は、後述するＲ（赤系）、Ｇ（緑系）、Ｂ（青系）、Ｃ（シアン系）の４色の着色領域を有するカラーフィルタを採用する。
【００２４】
また、電気光学装置１００には、略矩形状の画像表示領域４の外側に、走査線駆動回路３９及びデータ線駆動回路３８が配設されている。走査線駆動回路３９及びデータ線駆動回路３８は、半導体チップにより構成されており、ＴＦＴアレイ基板２上に実装されている。
【００２５】
走査線駆動回路３９は、走査信号Ｇ１、Ｇ２、Ｇ３、…、Ｇ２４０を、それぞれ１行目、２行目、３行目、…、２４０行目の走査線３３に供給するものである。詳細には、走査線駆動回路３９は、２４０本の走査線３３を水平走査期間毎に順次１本ずつ選択するとともに、選択した走査線３３には選択電圧を、他の走査線３３には非選択電圧を、それぞれ供給する動作を、垂直走査期間（１フレーム期間）毎に繰り返すものである。データ線駆動回路３８は、走査線駆動回路３９により選択された走査線３３に接続された画素３７に対し、その表示内容（階調）に応じたデータ信号Ｓ１、Ｓ２、Ｓ３、…を、それぞれ１列目、２列目、３列目、…のデータ線３４を介して供給するものである。
【００２６】
走査線駆動回路３９及びデータ線駆動回路３８は、それぞれ信号線７６及び７２を介して、駆動回路１に電気的に接続されている。なお、走査線駆動回路３９及びデータ線駆動回路３８は、ＴＦＴアレイ基板２上に半導体製造工程により形成されるものであってもよい。
【００２７】
ＴＦＴアレイ基板２上であって走査線駆動回路３９と画像表示領域４を挟んで対向する側にはイコライズ回路５０が形成されている。イコライズ回路５０は、対向電極電位Ｖｃｏｍを、イコライズスイッチ５１を介してデータ線３４に供給する回路である。イコライズスイッチ５１は、イコライズ信号ＣＰにより開閉するスイッチ回路であり、イコライズ信号ＣＰが供給されている期間だけ、データ線３４に対向電極電位Ｖｃｏｍが供給される。言い換えれば、イコライズ信号ＣＰが供給されている期間において、データ線３４は対向電極４０と短絡され、両者の電位は等しくなる。イコライズ信号ＣＰは、後述する制御回路１から所定のタイミングで出力されるものである。
【００２８】
次に、４色の着色領域について以下に詳細に述べる。
【００２９】
着色領域は４色の着色領域で１つの画素を構成する。  
４色の着色領域は、波長に応じて色相が変化する可視光領域（３８０−７８０ｎｍ）のうち、青系の色相の着色領域、赤系の色相の着色領域と、青から黄までの色相の中で選択された２種の色相の着色領域からなる。ここで系と用いているが、例えば青系であれば純粋の青の色相に限定されるものでなく、青紫や青緑等を含むものである。赤系の色相であれば、赤に限定されるものでなく橙を含む。また、これら着色領域は単一の着色層で構成されても良いし、複数の異なる色相の着色層を重ねて構成されても良い。また、これら着色領域は色相で述べているが、当該色相は、彩度、明度を適宜変更し、色を設定し得るものである。
【００３０】
具体的な色相の範囲は、  
青系の色相の着色領域は、青紫から青緑であり、より好ましくは藍から青である。  
赤系の色相の着色領域は、橙から赤である。  
青から黄までの色相で選択される一方の着色領域は、青から緑であり、より好ましくは青緑から緑である。  
青から黄までの色相で選択される他方の着色領域は、緑から橙であり、より好ましくは緑から黄である。もしくは緑から黄緑である。
【００３１】
ここで、各着色領域は、同じ色相を用いることはない。例えば、青から黄までの色相で選択される２つの着色領域で緑系の色相を用いる場合は、他方は一方の緑に対して青系もしくは黄緑系の色相を用いる。
【００３２】
これにより、従来のＲＧＢの着色領域よりも広範囲の色再現性を実現することができる。  
他の具体的な例として、着色領域を透過する波長で表現する。  
青系の着色領域は、該領域を透過した光の波長のピークが４１５−５００ｎｍにある着色領域、好ましくは、４３５−４８５ｎｍにある着色領域である。  
赤系の着色領域は、該領域を透過した光の波長のピークが６００ｎｍ以上にある着色領域で、好ましくは、６０５ｎｍ以上にある着色領域である。  
青から黄までの色相で選択される一方の着色領域は、該領域を透過した光の波長のピークが４８５−５３５ｎｍにある着色領域で、好ましくは、４９５−５２０ｎｍにある着色領域である。  
青から黄までの色相で選択される他方の着色領域は、該領域を透過した光の波長のピークが５００−５９０ｎｍにある着色領域、好ましくは５１０−５８５ｎｍにある着色領域、もしくは５３０−５６５ｎｍにある着色領域である。
【００３３】
この波長は、透過表示の場合は、照明装置からの照明光がカラーフィルタを通して得られた数値である。反射表示の場合は、外光を反射して得られた数値である。
【００３４】
他の具体的な例として、ｘ、ｙ色度図で表現する。
【００３５】
青系の着色領域は、ｘ≦０．１５１、ｙ≦０．２００にある着色領域であり、好ましくは、０．１３４≦ｘ≦０．１５１、０．０３４≦ｙ≦０．２００にある着色領域である。  
赤系の着色領域は、０．５２０≦ｘ、ｙ≦０．３６０にある着色領域であり、好ましくは、０．５５０≦ｘ≦０．６９０、０．２１０≦ｙ≦０．３６０にある着色領域である。  
青から黄までの色相で選択される一方の着色領域は、ｘ≦０．２００、０．２１０≦ｙにある着色領域であり、好ましくは、０．０８０≦ｘ≦０．２００、０．２１０≦ｙ≦０．７５９にある着色領域である。  
青から黄までの色相で選択される他方の着色領域は、０．２５７≦ｘ、０．４５０≦ｙにある着色領域であり、好ましくは、０．２５７≦ｘ≦０．５２０、０．４５０≦ｙ≦０．７２０にある着色領域である。  
このｘ、ｙ色度図は、透過表示の場合は、照明装置からの照明光がカラーフィルタを通して得られた数値である。反射表示の場合は、外光を反射して得られた数値である。  
これら４色の着色領域は、サブ画素に透過領域と反射領域を備えた場合、透過領域及び反射領域も上述した範囲で適用することができるものである。
【００３６】
バックライトとして、ＲＧＢの光源としてＬＥＤ、蛍光管、有機ＥＬを用いても良い。または白色光源を用いても良い。なお、白色光源は青の発光体とＹＡＧ蛍光体により生成される白色光源でもよい。
【００３７】
ＲＧＢ光源としては、以下のものが好ましい。  
Ｂは発光した光の波長のピークが４３５ｎｍ−４８５ｎｍにあるもの  
Ｇは発光した光の波長のピークが５２０ｎｍ−５４５ｎｍにあるもの  
Ｒは発光した光の波長のピークが６１０ｎｍ−６５０ｎｍにあるもの  
そして、ＲＧＢ光源の波長によって、上記カラーフィルタを適切に選定すればより広範囲の色再現性を得ることができる。  
また、波長が例えば、４５０ｎｍと５６５ｎｍにピークがくるような、複数のピークを持つ光源を用いてもよい。
【００３８】
上記４色の着色領域の構成の例として、以下のものがあげられる。  
色相が、赤、青、緑、シアン（青緑）の着色領域  
色相が、赤、青、緑、黄の着色領域  
色相が、赤、青、深緑、黄の着色領域  
色相が、赤、青、エメラルド、黄の着色領域  
色相が、赤、青、深緑、黄緑の着色領域  
色相が、赤、青緑、深緑、黄緑の着色領域
すなわち、本実施形態の電気光学装置１００は、４色の着色領域を有するカラーフィルタを具備して構成されるものであり、電気光学装置１００は、従来のＲＧＢの３色の着色領域を有するカラーフィルタを備えた電気光学装置の色再現範囲よりも広い色再現範囲を有する。
【００３９】
図３は、本実施形態の駆動回路１の概略構成を示すブロック図である。  
駆動回路１は、外部装置であるＬＣＤコントローラ１１からの画像信号と各種コマンド信号を受信する。駆動回路１は、インターフェースコントロール回路（以下、Ｉ／Ｆコントロール回路という）１２と、コマンド制御回路１３と、画像処理回路１４と、セレクタ回路１５と、ラッチ回路１６と、ガンマ（γ）補正回路（以下、ガンマ（γ）回路という）１７と、増幅器１８と、セレクトタイミング制御回路１９と、信号選択回路２０とを含んで構成される。
【００４０】
Ｉ／Ｆコントロール回路１２には、ＬＣＤコントローラ１１からの画像信号等が入力される。Ｉ／Ｆコントロール回路１２は、入力された画像信号等を所定の単位、例えば８ビット毎にコマンド制御回路１３へ出力する。
【００４１】
コマンド制御回路１３は、入力された信号が、コマンド信号であるか画像信号であるかに応じて、画像処理回路１４とセレクタ回路１５への画像信号と制御信号を出力する。画像信号は、所定の単位で所定のタイミングで画像処理回路１４へ出力される。例えば、コマンド制御回路１３は、２４ビットの単位で画像信号を、１クロック（CLK）毎に画像処理回路１４へ出力される。
【００４２】
また、コマンド制御回路１３は、表示モード、すなわち部分表示モードか全画面表示モードかに応じて、画像処理回路１４へクロック信号（CLK）を供給、あるいは画像処理回路１４へのクロック信号（CLK）の供給を停止する。具体的には、コマンド制御回路１３は、表示モードが全画面表示モードのときには、クロック信号（CLK）を画像処理回路１４へ供給し、部分表示モードのときには、画像処理回路１４へのクロック信号（CLK）の供給を停止する。なお、表示モードを示す信号MODEは、コマンド制御回路１３へ入力される。
【００４３】
画像処理回路１４は、３色、すなわちＲＧＢ（赤系、緑系、青系）の３つの画像信号を、先に述べた４色の画像信号に変換する色変換回路を含む。後述するように、部分表示モード時には、クロック信号CLKは、画像処理回路１４へ入力されないので、画像処理回路１４は駆動動作を停止する。
【００４４】
セレクタ回路１５には、コマンド制御回路１３から出力された画像信号と画像処理回路１４から出力された画像信号が入力される。セレクタ回路１５は、コマンド制御回路１３からの選択信号（SEL）に基づいて、コマンド制御回路１３から出力された画像信号と画像処理回路１４から出力された画像信号のいずれかを選択して出力する。
【００４５】
また、セレクタ回路１５は、RAM等のラッチ回路１６へ所定の単位で選択した画像信号を出力する。ラッチ回路１６にストアされた画像信号を、ガンマ回路へ１７へ出力する。
【００４６】
なお、セレクタ回路１５は、部分表示モード時は、ラッチ回路１６における、色信号の１つであるシアン（Ｃ）の画像信号には、ダミーデータが書き込まれる。コマンド制御回路１３とセレクタ回路１５が、全画面表示モードの場合には、画像処理回路１４によってＲＧＢＣの４色の画像信号に変換された全画面表示用画像信号を出力し、部分表示モードの場合には、画像処理回路１４の駆動を停止してＲＧＢの３色の画像信号である部分表示用画像信号を出力するように制御する制御回路を構成する。
【００４７】
ガンマ回路１７は、ガンマ補正のための回路であり、入力された画像信号にガンマ補正を施して、ガンマ補正された画像信号を増幅器１８へ供給する。
【００４８】
増幅器１８は、画像信号を所定の増幅率で増幅するための増幅回路であり、ガンマ回路１７からの画像信号を所定の増幅率で増幅して信号選択回路２０へ供給する。増幅器１８の増幅率は、後述するようにコマンド制御回路１３から供給される増幅率制御信号（ADJ）によって決定される。
【００４９】
セレクトタイミング制御回路１９は、コマンド制御回路１３からの選択制御信号（SELL）に基づいて、信号選択回路２０へ入力される画像信号を選択して出力するように信号選択回路２０を制御するために、各画像信号の選択信号を信号選択回路２０へ出力する回路である。
【００５０】
信号選択回路２０は、入力される複数の画像信号を選択するスイッチ回路を含む回路である。信号選択回路２０は、セレクトタイミング制御回路１９からの選択信号に基づいて、所定のタイミングで入力される全画面表示用画像信号と部分表示用画像信号を、表示モードに応じて、所定のタイミングで所定の時間だけ選択して、それぞれ対応するＲ（赤）用、Ｇ（緑）用、Ｂ（青）用及びＣ（シアン）用のデータ線に出力する。
【００５１】
そのために、信号選択回路２０は、Ｒ（赤系）用、Ｇ（青から黄までの色相で選択される他方の着色領域：緑から黄）用、Ｂ（青系）用及びＣ（青から黄までの色相で選択される一方の着色領域：青緑から緑）用の４つのデータ線に対応する、４つのスイッチ回路SWR、SWG、SWB、SWCを含む。セレクトタイミング制御回路１９は、４つのスイッチ回路SWR、SWG、SWB、SWCのオン、オフを制御する選択信号R_SEL、G_SEL、B_SEL、C_SELを出力する。
【００５２】
コマンド制御回路１３は、上述したように、画像処理回路１４、セレクタ回路１５及びラッチ回路１６への画像データ等を出力するのに加えて、増幅器１８への増幅率制御信号（ADJ）とセレクトタイミング制御回路１９への選択制御信号（SELL）を出力する。
【００５３】
コマンド制御回路１３Aは、増幅率制御信号（ADJ）を増幅器１８へ供給し、増幅器１８は、増幅率制御信号（ADJ）に基づいて、全画面表示モード時と部分表示モード時において異なる増幅率で、入力された画像データを増幅する。より具体的には、コマンド制御回路１３は、表示モードが反射モード時には、透過モード時よりも低い増幅率で、画像データを増幅するように、増幅率制御信号（ADJ）を増幅器１８へ供給する。コマンド制御回路１３は、部分表示モードの場合には、部分表示用画像信号を増幅する前記増幅器の増幅率を全画面表示モードの場合よりも低くする制御回路を構成する。これにより、部分表示モードにおける、増幅器による消費電力を抑えることができる。
【００５４】
以上の構成を有する、本実施形態の電気光学装置１００の動作を、以下に説明する。図４は、全画面表示モードにおける電気光学装置の動作を説明するタイミングチャートである。図５は、部分表示モードにおける電気光学装置の動作を説明するタイミングチャートである。図４及び図５において、Ｇ１、Ｇ２・・・Ｇ２４０は、それぞれ、１行目、２行目、…、２４０行目の走査線３３に供給される走査信号を示している。また、Ｒ、Ｇ、Ｂ及びＣは、各サブ画素３７Ｒ、３７Ｇ、３７Ｂ及び３７Ｃのそれぞれに接続されたデータ線３４に供給される信号を示している。ＣＰは、イコライズ信号ＣＰを示している。
【００５５】
まず、全画面表示モード時の動作について説明する。
【００５６】
走査線駆動回路３９により、１行目、２行目、…、２４０行目の走査線３３に、順次走査信号が供給される。この動作は、１フレーム期間（１Ｆ）毎に繰り返されるものである。
【００５７】
全画面表示モードの場合、駆動回路１は、ＬＣＤコントローラ１１から入力される第１の色画像信号であるＲＧＢの３色の画像信号を、画像処理回路１４において、第２の色画像信号であるＲＧＢＣの４色の画像信号に変換する。また駆動回路１は、１フレーム期間の全てにわたってＲＧＢＣの４色の画像信号を出力する。駆動回路１から出力された４色の画像信号は、データ線駆動回路３８に入力され、データ信号として各サブ画素３７Ｒ、３７Ｇ、３７Ｂ及び３７Ｃに接続されたデータ線３４に供給される。なお、全画面表示モードでは、イコライズ信号ＣＰは供給されない。
【００５８】
すなわち、全画面表示モードでは、１フレーム期間中において、データ線３４へのデータ信号の供給は連続的に行われるものであり、これにより、表示領域の全ての画素にデータ信号が供給され、全画面表示が行われる。
【００５９】
次に、部分表示モード時の動作について説明する。
【００６０】
全画面表示モードと同様に、走査線駆動回路３９により、１行目、２行目、…、２４０行目の走査線３３に、順次走査信号が供給される。この動作は、１フレーム期間（１Ｆ）毎に繰り返されるものである。
【００６１】
部分表示モードの場合、駆動回路１の画像処理回路１４は駆動されない。このため駆動回路１は、ＬＣＤコントローラ１１から入力されるＲＧＢの３色の画像信号に対して、γ補正と増幅のみを行い、ＲＧＢの３色の画像信号を出力する。また駆動回路１は、このＲＧＢの３色の画像信号を、１フレーム期間中の所定の期間のみ出力する。本実施形態では、具体的には、走査線駆動回路３９が８０行目から１２０行目の走査線３３に走査信号を供給する期間において、ＲＧＢの３色の画像信号を出力する。駆動装置１から出力されたＲＧＢの３色の画像信号は、８０行目から１２０行目の走査線３３が選択されている期間において、データ線駆動回路３８に入力され、データ信号として各サブ画素３７Ｒ、３７Ｇ及び３７Ｂに接続されたデータ線３４に供給される。サブ画素３７Ｃが接続されたデータ線３４にはデータ信号は供給されない。また、この８０行目から１２０行目の走査線３３が選択されている期間においては、イコライズ信号ＣＰは供給されない。
【００６２】
これにより、画像表示領域４の一部分である、８０行目から１２０行目の画素にのみデータ信号が供給され、部分表示（パーシャル表示）が行われる。
【００６３】
また、部分表示モードでは、走査線駆動回路３９により表示領域である８０行目から１２０行目以外の走査線３３が選択されている期間においては、イコライズ信号ＣＰが供給される。すなわち、１行目から７９行目、１２１行目から２４０行目の走査線３３が選択されている期間において、データ線３４にＶｃｏｍが供給される。これにより、非表示領域のデータ線３４と、対向電極４０とは等電位とされる。言い換えれば、表示領域以外の画素が選択されている期間において、データ線３４と対向電極４０とが短絡される。
【００６４】
以上のように、本実施形態の電気光学装置１００は、全画面表示モード時においては、４色の着色領域を有するカラーフィルタを用いて、色再現性の高い画像を表示することができる。一方、部分表示モード時においては、従来のように表示領域の画素にのみデータ信号を供給するだけではなく、併せて、４つのサブ画素３７Ｒ、３７Ｇ、３７Ｂ及び３７Ｃのうちの、３７Ｒ、３７Ｇ及び３７Ｂの３つのサブ画素にのみデータ信号を供給することで、低消費電力化を図っている。
【００６５】
また、本実施形態の電気光学装置１００は、部分表示モード時においては、駆動回路１の画像処理回路１４の動作を停止している。これにより、駆動回路１による消費電力を抑えることができる。
【００６６】
また、本実施形態の電気光学装置１００は、部分表示モード時に、表示を行う走査線３３以外の走査線に走査信号が供給されている期間においては、データ線の電位を対向電極の電位と等電位としている。これにより、表示を行わない非表示領域の画素における消費電力を抑えることができ、さらに低消費電力化を図ることができる。
【００６７】
なお、上述の本実施形態の電気光学装置１００は、ＲＧＢＣの４色のカラーフィルタが用いられるものであるが、本発明の電気光学装置のカラーフィルタの着色領域に用いられる色及び色数はこの組み合わせに限られるものではない。メイン表示パネルに使用されるカラーフィルタの着色領域を、５色以上としてもよく、例えば、ＲＧＢＣの４色に加えて、白（無色）の着色領域を使用する構成が考えられる。この場合白表示における輝度を向上させることができる。
【００６８】
上述した実施形態に係る電気光学装置は、携帯電話等の電子機器に適用される。  
次に、上述した実施形態に係る電気光学装置を表示装置として有する電子機器について説明する。図６は、電子機器として携帯電話の外観を示す斜視図である。図６に示すように、携帯電話１２００は、複数の操作ボタン１２０１の他に、受話口１２０２、送話口１２０３と共に、上述した電気光学装置としての液晶表示装置が設けられる表示部１５０を有する。表示部１５０において、例えば携帯電話１２００が待受け状態であれば、電気光学装置は部分表示モードとされ、表示部１５０には時刻表示のみが行われる。これにより、待受け状態における携帯電話１２００の消費電力を抑えることができ、長時間携帯電話１２００を使用することができるようになる。また、携帯電話１２００の操作時には、電気光学装置は全画面表示モードとされる。全画面表示モード時には色再現性の高い動画や静止画を表示することができる。
【００６９】
なお、本実施形態の電子機器としては、他にも、テレビジョンや、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラ、タッチパネルを備えた機器等などが挙げられる。そして、これらの各種の電子機器に対して、本発明に係る電気光学装置が適用可能なのは言うまでもない。
【００７０】
また、本発明は、本実施形態に係るアクティブマトリクス駆動の液晶表示装置の他に、電子ペーパなどの電気泳動装置、ＥＬ（Electro-Luminescence）表示装置、電子放出回路素子を備えた装置（Field Emission Display及びSurf ace-Conduction Electron-Emitter Display）等の電気光学装置の技術分野に属するものである。
【００７１】
本発明は、上述した実施形態に限られるものではなく、請求の範囲及び明細書全体から読み取れる発明の要旨或いは思想に反しない範囲で適宜変更可能であり、そのような変更を伴う電気光学装置及び電子機器もまた本発明の技術的範囲に含まれるものである。
【図面の簡単な説明】
【００７２】
【図１】電気光学装置の斜視図である。
【図２】電気光学装置の概略構成を示す説明図である。
【図３】駆動回路の概略構成を示すブロック図である。
【図４】全画面表示モードにおける電気光学装置の動作を説明するタイミングチャートである。
【図５】部分表示モードにおける電気光学装置の動作を説明するタイミングチャートである。
【図６】電子機器の斜視図である。
【符号の説明】
【００７３】
１  駆動回路、  ３３  走査線、  ３４  データ線、  ３５  画素電極、  ３６  ＴＦＴ、  ３７  画素、  ３８  データ線駆動回路、  ３９  走査線駆動回路、  ５０  イコライズ回路
【図１】
2008032779.tif 000003
【図２】
2008032779.tif 000004
【図３】
2008032779.tif 000005
【図４】
2008032779.tif 000006
【図５】
2008032779.tif 000007
【図６】
2008032779.tif 000008